(57)【要約】  空調機室内機用の温度感知パッケージブラケット（１０）および空調機室内機であって、温度感知パッケージブラケット（１０）は、空調機室内機のハウジングへの固定に適するブラケット本体を含み、ブラケット本体には、フィルタメッシュの端部フレーム（３０）を収容するフィルタメッシュ位置決め溝（１）が形成され、ブラケット本体には、温度感知パッケージを収納する温度感知パッケージ収納溝（２）がさらに形成され、温度感知パッケージ収納溝（２）とフィルタメッシュ位置決め溝（１）とは、仕切り壁で仕切られ、温度感知パッケージ収納溝（２）は、フィルタメッシュ位置決め溝（１）の外側に位置する。温度感知パッケージをフィルタメッシュの外側に設けるとともに、温度感知パッケージを保護することによって、温度感知パッケージがより正確に環境温度を検出し、空調機室内機による制御の正確性および稼動の信頼性の向上に有利であるとともに、電気エネルギーを節約することができる。
2020506357.tif 000002
【特許請求の範囲】
【請求項１】
空調機室内機用の温度感知パッケージブラケットであって、
前記空調機室内機のハウジングへの固定に適するブラケット本体を含み、
前記ブラケット本体には、フィルタメッシュの端部フレームを収容するためのフィルタメッシュ位置決め溝が形成され、
前記ブラケット本体には、温度感知パッケージを収納するための温度感知パッケージ収納溝がさらに形成され、
前記温度感知パッケージ収納溝と前記フィルタメッシュ位置決め溝とは、仕切り壁で仕切られ、
前記温度感知パッケージ収納溝は、前記フィルタメッシュ位置決め溝の外側に位置する、
ことを特徴とする空調機室内機用の温度感知パッケージブラケット。
【請求項２】
前記ブラケット本体には、前記フィルタメッシュ位置決め溝の外側に位置し、前記温度感知パッケージ収納溝に連通する導風孔がさらに設けられている、
ことを特徴とする請求項１に記載の空調機室内機用の温度感知パッケージブラケット。
【請求項３】
前記ブラケット本体には、前記フィルタメッシュ位置決め溝の外側に位置する温度感知パッケージ固定孔がさらに設けられている、
ことを特徴とする請求項２に記載の空調機室内機用の温度感知パッケージブラケット。
【請求項４】
前記温度感知パッケージ収納溝は、Ｕ字型であり、かつ第１の側壁、第２の側壁、及び前記第１の側壁と前記第２の側壁との間に接続された第１の接続壁によって区画され、
前記フィルタメッシュ位置決め溝は、Ｕ字型であり、かつ第３の側壁、及び前記第３の側壁と前記第２の側壁との間に接続された第２の接続壁によって区画される、
ことを特徴とする請求項２に記載の空調機室内機用の温度感知パッケージブラケット。
【請求項５】
前記第２の側壁は、前記仕切り壁として構成される、
ことを特徴とする請求項４に記載の空調機室内機用の温度感知パッケージブラケット。
【請求項６】
前記温度感知パッケージ収納溝と前記フィルタメッシュ位置決め溝とは、開口している方向が逆である、
ことを特徴とする請求項４に記載の空調機室内機用の温度感知パッケージブラケット。
【請求項７】
前記導風孔は、前記第１の側壁に形成された導風孔第１段および前記第１の接続壁に形成された導風孔第２段を含み、
前記導風孔第１段と前記導風孔第２段とは、前記第１の側壁と前記第１の接続壁との境界部で連通する、
ことを特徴とする請求項４に記載の空調機室内機用の温度感知パッケージブラケット。
【請求項８】
前記導風孔は、複数であり、前記温度感知パッケージブラケットの長手方向に沿って間隔をおいて配置されている、
ことを特徴とする請求項７に記載の空調機室内機用の温度感知パッケージブラケット。
【請求項９】
前記第１の側壁と、前記第２の側壁と、前記第３の側壁とは、平行し、
前記第１の接続壁は、前記第１の側壁と前記第２の側壁との間に垂直に接続され、
前記第２の接続壁は、前記第２の側壁と前記第３の側壁との間に垂直に接続される、
ことを特徴とする請求項４に記載の空調機室内機用の温度感知パッケージブラケット。
【請求項１０】
前記第１の側壁の前記第１の接続壁から離れた端部には、前記空調機室内機のハウジングへの固定に適する固定板が設けられている、
ことを特徴とする請求項４に記載の空調機室内機用の温度感知パッケージブラケット。
【請求項１１】
前記固定板と前記第１の接続壁との垂直距離は、前記第２の接続壁と前記第１の接続壁との垂直距離より大きい、
ことを特徴とする請求項１０に記載の空調機室内機用の温度感知パッケージブラケット。
【請求項１２】
弾性片をさらに含み、
前記弾性片の固定端が前記第２の接続壁の一端に固定され、前記端部フレームを前記フィルタメッシュ位置決め溝内に当接させるように、前記弾性片の自由端が前記空調機室内機のハウジングに弾性的に当接することに適する、
ことを特徴とする請求項１１に記載の空調機室内機用の温度感知パッケージブラケット。
【請求項１３】
請求項１〜１２のいずれかに記載の空調機室内機用の温度感知パッケージブラケットを含む、
ことを特徴とする空調機室内機。
【発明の詳細な説明】
【技術分野】
【０００１】
本発明は、空気調和の技術分野に関し、特に、空調機室内機用の温度感知パッケージブラケットおよび空調機室内機に関する。
【背景技術】
【０００２】
空調システムの実際稼動中に、制御の正確性およびシステムの信頼性のために、環境温度を精確に検出する必要がある。外部環境温度を検出する素子である温度感知パッケージが検出した実際の温度は、冷房効果の正確性に直接影響を与える。
【０００３】
生産や取付の原因によって、多くの空調装置では、環境温度感知パッケージが機器の熱交換器または熱交換器付近に取り付けられている。しかし、環境温度より高い温度の冷媒が熱交換器を流れる場合、温度感知パッケージに対し熱放射を生じるため、温度感知パッケージで測定した温度が実際の環境温度より高くなり、空調システムの制御精度に影響を与え、場合によっては空調システムの正常な稼動に影響を与える。
【発明の概要】
【発明が解決しようとする課題】
【０００４】
本発明は、関連技術における上記の技術的課題の１つを少なくともある程度で解決することを目的とする。そのために、本発明は、熱交換機による温度感知パッケージへの冷放射や熱放射をある程度で軽減させることのできる空調機室内機用の温度感知パッケージブラケットを提供する。
【０００５】
本発明は、上記の空調機室内機用の温度感知パッケージブラケットを有する空調機室内機をさらに提供する。
【０００６】
本発明の実施例の空調機室内機用の温度感知パッケージブラケットは、
前期空調機室内機のハウジングへの固定に適するブラケット本体を含み、
前記ブラケット本体には、フィルタメッシュの端部フレームを収容するフィルタメッシュ位置決め溝が形成され、
前記ブラケット本体には、温度感知パッケージを収納する温度感知パッケージ収納溝がさらに形成され、
前記温度感知パッケージ収納溝と前記フィルタメッシュ位置決め溝とは、仕切り壁で仕切られ、
前記温度感知パッケージ収納溝は、前記フィルタメッシュ位置決め溝の外側に位置する。
【０００７】
本発明の実施例の空調機室内機用の温度感知パッケージブラケットは、温度感知パッケージをフィルタメッシュの外側に位置させるとともに、温度感知パッケージを保護することによって、温度感知パッケージがより正確に環境温度を検出し、空調機室内機による制御の正確性および稼動の信頼性の向上に有利である。
【０００８】
本発明の一部の実施例において、前記ブラケット本体には、前記フィルタメッシュ位置決め溝の外側に位置し、前記温度感知パッケージ収納溝に連通する導風孔がさらに設けられている。
【０００９】
さらに、前記ブラケット本体には、前記フィルタメッシュ位置決め溝の外側に位置する温度感知パッケージ固定孔がさらに設けられている。
【００１０】
具体的に、前記温度感知パッケージ収納溝は、Ｕ字型であり、かつ第１の側壁、第２の側壁、前記第１の側壁と前記第２の側壁との間に接続された第１接続壁によって区画され、前記フィルタメッシュ位置決め溝は、Ｕ字型であり、かつ第３の側壁、前記第３の側壁と前記第２の側壁との間に接続された第２接続壁によって区画される。
【００１１】
さらに、前記第２の側壁は、前記仕切り壁として構成される。
【００１２】
本発明の一部の実施例において、前記温度感知パッケージ収納溝と前記フィルタメッシュ位置決め溝とは、開口している方向が逆である。
【００１３】
本発明の一部の実施例において、前記導風孔は、前記第１の側壁に形成された導風孔第１段および前記第１接続壁に形成された導風孔第２段を含み、前記導風孔第１段と前記導風孔第２段は、前記第１の側壁と前記第１接続壁との境界部に連通する。
【００１４】
選択可能に、前記導風孔は、複数であり、前記温度感知パッケージブラケットの長手方向に沿って間隔をおいて設けられている。
【００１５】
選択可能に、前記第１の側壁と、前記第２の側壁と、前記第３の側壁とは、平行し、前記第１接続壁は、前記第１の側壁と前記第２の側壁との間に垂直に接続され、前記第２接続壁は、前記第２の側壁と前記第３の側壁との間に垂直に接続される。
【００１６】
本発明の一部の実施例において、前記第１の側壁の前記第１接続壁から離れた側には、前記空調機室内機のハウジングへの固定に適する固定板が設けられている。
【００１７】
さらに、前記固定板と前記第１接続壁との垂直距離は、前記第２接続壁と前記第１接続壁との垂直距離より大きい。
【００１８】
本発明の一部の実施例において、前記空調機室内機用の温度感知パッケージブラケットは、弾性片をさらに含み、前記弾性片の固定端が前記第２接続壁の一端に固定され、前記端部フレームを前記フィルタメッシュ位置決め溝内に当接させるように、前記弾性片の自由端が前記空調機室内機のハウジングに弾性的に当接することに適する。
【００１９】
本発明の別の側面の実施例における空調機室内機は、上記の空調機室内機用の温度感知パッケージブラケットを含む。
【図面の簡単な説明】
【００２０】
【図１】空調機室内機用の温度感知パッケージブラケットの斜視模式図である。
【図２】空調機室内機用の温度感知パッケージブラケットの横断面模式図である。
【発明を実施するための形態】
【００２１】
以下、本発明の実施例について詳細に説明し、前記実施例の例が図面に示されている。同一又は類似の符号は常に同一又は類似の要素を表す。以下に図面を参照しながら説明された実施例は、例示するものであり、本発明を解釈するものであり、本発明を限定するものであると理解してはならない。
【００２２】
本明細書の説明において、「第１」、「第２」の用語は、目的を説明するためだけに用いられるものであり、比較的な重要性を指示又は暗示するか、或いは示された技術的特徴の数を黙示的に指示すると理解してはならない。そこで、「第１」、「第２」が限定されている特徴は一つ又はより多くの前記特徴を含むことを明示又は暗示するものである。また、明確な規定と限定がない限り、「取り付け」、「つながる」、「接続」、「固定」などの用語の意味は広く理解されるべきである。例えば、固定接続や、着脱可能な接続や、あるいは一体的な接続でも可能である。当業者にとって、具体的な場合によって上記用語の本発明においての具体的な意味を理解することができる。
【００２３】
図１〜２を参照しながら本発明の実施例の空調機室内機用の温度感知パッケージブラケット１０を以下に詳細に説明する。
【００２４】
図１〜２に示すように、本発明の実施例の空調機室内機用の温度感知パッケージブラケット１０は、空調機室内機のハウジング２０への固定に適するブラケット本体を含む。ブラケット本体には、フィルタメッシュの端部フレーム３０を収容するフィルタメッシュ位置決め溝１が形成されている。ブラケット本体には、温度感知パッケージ収納溝２がさらに形成されている。温度感知パッケージ収納溝２は、温度感知パッケージを収納するものであり、しかも温度感知パッケージを保護する機能を奏し、温度感知パッケージの稼動安定性の向上に有利であり、温度感知パッケージの使用寿命を延長する。さらに、温度感知パッケージ収納溝２とフィルタメッシュ位置決め溝１とは、仕切り壁２２により仕切られる。温度感知パッケージ収納溝２は、フィルタメッシュ位置決め溝１の外側に位置する。
【００２５】
言い換えれば、温度感知パッケージ収納溝２は、フィルタメッシュ位置決め溝１の外側に位置するため、温度感知パッケージをフィルタメッシュの外側に位置させることができ、熱交換器がフィルタメッシュの内側に設けられる。温度感知パッケージをフィルタメッシュの外側に設けることによって、温度感知パッケージと熱交換器との間の距離を大きくするため、熱交換機による温度感知パッケージへの冷放射や熱放射をある程度で軽減させることができ、温度感知パッケージがより精確に室外や室内の環境温度を検出できることが保証され、冷、熱冷媒が熱交換器を流れる場合に温度感知パッケージへの冷放射や熱放射の影響が回避される。
【００２６】
温度感知パッケージは、測定した正確な温度情報を空調機室内機に伝達する。これによって、空調機室内機による室内温度の精確な制御の実現や、ユーザ体験の向上に有利であるのみならず、空調機室内機による空調負荷の精確な制御を実現することができ、電気エネルギーを節約するとともに、温度感知パッケージの正確な温度測定により、大きな温度変化の回避に有利であり、空調システムが頻繁にオン／オフするリスクを低減させ、空調機室内機の稼動の信頼性および使用寿命を保証する。
【００２７】
なお、ここでいう「外側」とは、空調機室内機から離れる側であり、「内側」とは、空調機室内機に近づく側である。
【００２８】
本発明の実施例の空調機室内機用の温度感知パッケージブラケット１０は、温度感知パッケージをフィルタメッシュの外側に設けるとともに、温度感知パッケージを保護することによって、温度感知パッケージで検出した環境温度値がより正確なものになり、空調機室内機による制御の正確性および稼動の信頼性の向上に有利であるとともに、空調機室内機が室内温度を誤判定して誤作動することを防止し、電気エネルギーの節約やユーザの快適度向上の目的を達成することができる。
【００２９】
本発明の一部の実施例において、ブラケット本体には、フィルタメッシュ位置決め溝１の外側に位置し、温度感知パッケージ収納溝２に連通する導風孔３がさらに設けられている。導風孔３は、空気を温度感知パッケージ収納溝２に取り付けられた温度感知パッケージにスムーズに流れることを確保でき、温度感知パッケージによる温度検出の正確性を保証する。
【００３０】
さらに、図１に示すように、ブラケット本体には、フィルタメッシュ位置決め溝１の外側に位置する温度感知パッケージ固定孔４がさらに設けられている。温度感知パッケージは、温度感知パッケージ固定孔４によって温度感知パッケージ収納溝２に固定される。これによって、温度感知パッケージの温度検出プローブは、導風孔３の位置に正確に固定されて温度を正確に測定する。温度感知パッケージ固定孔４の数は、１つまたは複数である。
【００３１】
空調システムが稼動すると、空調機室内機の稼動が開始し、室外または室内の空気を温度感知パッケージブラケット１０の導風孔３から温度感知パッケージ収納溝２に吸い込む。この部分の空気は、温度感知パッケージの温度検出プローブを流れ、温度感知パッケージによる温度測定が開始し、温度感知パッケージが熱交換器から離れるため、温度感知パッケージによる温度測定の正確性の向上に有利である。
【００３２】
具体的に、図２に示すように、温度感知パッケージ収納溝２は、Ｕ字型であり、かつ第１の側壁２１、第２の側壁２２、第１の側壁２１と第２の側壁２２との間に接続された第１接続壁２３によって区画される。同様に、フィルタメッシュ位置決め溝１は、Ｕ字型であり、かつ第３の側壁１１、第２の側壁２２、第３の側壁１１と第２の側壁２２との間に接続された第２接続壁１２によって区画される。
【００３３】
さらに、第２の側壁２２は、前記の仕切り壁２２として構成される。
【００３４】
本発明の一部の実施例において、温度感知パッケージ収納溝２とフィルタメッシュ位置決め溝１とは、開口している方向が逆である。たとえば、図２において、温度感知パッケージ収納溝２は、上向きのＵ字型の開口であるが、フィルタメッシュ位置決め溝１は、下向きのＵ字型の開口である。温度感知パッケージ収納溝２とフィルタメッシュ位置決め溝１とは、第２の側壁２２のみで仕切られる。
【００３５】
本発明の一部の実施例において、導風孔３は、図１に示すように、第１の側壁２１に形成された導風孔第１段３１および第１接続壁２３に形成された導風孔第２段３２を含み、導風孔第１段３１と導風孔第２段３２は、第１の側壁２１と第１接続壁２３との境界部に連通する。導風孔第１段３１と導風孔第２段３２は、ともに温度感知パッケージ収納溝２に連通する。空気は、導風孔第１段３１と導風孔第２段３２を経由して温度感知パッケージ収納溝２に入り込み、さらに温度感知パッケージの温度検出プローブを経由する。
【００３６】
選択可能に、図１に示すように、導風孔３は、複数であり、複数の導風孔３は、温度感知パッケージブラケット１０の長手方向に沿って間隔をおいて設けられている。これによって、温度感知パッケージ収納溝２に入り込む空気量の増加に有利であり、環境温度検出の正確さを向上させる。また、複数の導風孔３を間隔をおいて配列することによって、空気の入り込み量を保証するとともに、大きく開口することによる温度感知パッケージへの衝撃現象の発生を回避する。
【００３７】
選択可能に、第１の側壁２１と、第２の側壁２２と、第３の側壁１１とは、平行し、第１接続壁２３は、第１の側壁２１と第２の側壁２２との間に垂直に接続され、第２接続壁１２は、第２の側壁２２と第３の側壁１１との間に垂直に接続される。図２では、第２接続壁１２は、第１接続壁２３に平行する。
【００３８】
本発明の一部の実施例において、第１の側壁２１の第１接続壁２３から離れた側（たとえば図２の上部側）には、空調機室内機のハウジング２０への固定に適する固定板５が設けられている。具体的に、固定板５には、固定ポジション５１が設けられている。固定板５は、固定ポジション５１によって空調機室内機のハウジング２０に固定される。具体的に、固定ポジション５１にねじ締め付け具を挿入させて固定板５とハウジング２０を螺接して固定する。固定ポジション５１の数は、複数であってもよい。これによって、固定板５とハウジング２０を確実に固定することを保証できる。図１の具体的な実施例において、固定ポジション５１の数は、２つであり、２つの固定ポジション５１は、固定板５の長手方向に沿って間隔をおいて設けられている。
【００３９】
さらに、固定板５と第１接続壁２３との垂直距離Ｈ１は、第２接続壁１２と第１接続壁２３との垂直距離Ｈ２より大きい。これによって、フィルタメッシュ位置決め溝１において（すなわち第２の側壁２２、第２接続壁１２、第３の側壁１１からなるＵ字型枠体）カンチレバー構造が形成され、装着用の作業スペースを確保し、フィルタメッシュの端部フレーム３０のフィルタメッシュ位置決め溝１への係合や取り外しに有利である。
【００４０】
本発明の一部の実施例において、空調機室内機用の温度感知パッケージブラケット１０は、固定端が第２接続壁１２の一端に固定され、端部フレーム３０をフィルタメッシュ位置決め溝１内に当接させるように、自由端が空調機室内機のハウジング２０に弾性的に当接することに適する弾性片６をさらに含む。言い換えれば、弾性片６の自由端は、第２接続壁１２から離れる方向に延伸する。弾性片６を空調機室内機のハウジング２０に当接させると、弾性片６は、第２接続壁１２に反対方向の作用力を付与し、第２接続壁１２をフィルタメッシュの端部フレーム３０に近づかせ、端部フレーム３０がフィルタメッシュ位置決め溝１に確実に固定されることを保証する。
【００４１】
本発明の別の側面の実施例における空調機室内機は、上記の実施例における空調機室内機用の温度感知パッケージブラケット１０を含む。
【００４２】
本発明の説明において、「一実施例」、「一部の実施例」、「例」、「具体的な例」、或いは「一部の例」などの用語を参考した説明とは、当該実施例或いは例に合わせて説明された具体的な特徴、構成、材料或いは特性が、本開示の少なくとも１つの実施例或いは例に含まれることである。本明細書において、上記用語に対する例示的な説明は、必ずしも同じ実施例或いは例を示すものではない。また、説明された具体的な特徴、構成、材料或いは特性は、いずれか１つ或いは複数の実施例又は例において適切に結合することができる。また、当業者は、本明細書において説明された異なる実施例又は例を結合し、組み合わせることができる。
【００４３】
以上、本発明の実施例を示して説明したが、上記実施例は例示するものであって、本発明を制限するものであると理解してはならない。普通の当業者であれば、本発明の範囲内で上記実施例に対して変更、修正、取り替え、変形を行うことができる。
【符号の説明】
【００４４】
１  フィルタメッシュ位置決め溝
１０  温度感知パッケージブラケット
１１  第３の側壁
１２  第２接続壁
２  温度感知パッケージ収納溝
２０  ハウジング
２１  第１の側壁
２２  第２の側壁（仕切り壁）
２３  第１接続壁
３  導風孔
３０端部フレーム
３１導風孔第１段
３２導風孔第２段
４  温度感知パッケージ固定孔
５  固定板
５１  固定ポジション
６  弾性片
【図１】
2020506357.tif 000003
【図２】
2020506357.tif 000004
【国際調査報告】
2020506357.tif 000005
2020506357.tif 000006
2020506357.tif 000007
2020506357.tif 000008
2020506357.tif 000009